(57)【要約】【課題】股下域に大便を収容可能なポケットを形成し、尿と大便との混ざり合いを防ぐことができる使い捨て着用物品を提供する【解決手段】使い捨て着用物品２０Ａは、不透液性ベースシート２１と、シート２１の両側部３２に配置された一対の不透液性防漏シート２２と、シート２１の股下域２８と後胴周り域２９とに位置してシート２１に固着された体液吸収性第１パネル２３と、シート２１の前胴周り域２７と股下域２８とに位置する体液吸収性第２パネル２４とから構成されている。第２パネル２４は、前胴周り域２７に固着された固定前域５５と、股下域２７に位置してシート２１に非固着の自由後域５６と、両側部３２に位置してシート２１に固着された固定両側域５７とを有する。自由後域５６は、シート２１の上方へ延びていてシート２２の自由部３５に固着された脚部６５と、脚部６５の上方へ弧を画く中央部６６とから形成されている。シート２１と自由後部６５との間には、股下域２８から後胴周り域２９に向かって開口するポケット６９が形成されている。【選択図】図１
2005296326.tif 000002
【特許請求の範囲】
【請求項１】
縦方向に前後胴周り域および股下域を有する不透液性ベースシートと、前記ベースシートの両側部に配置された一対の不透液性防漏シートと、前記防漏シートの間に位置して前記ベースシートに固着された体液吸収性第１パネルとから構成され、前記防漏シートが、前記ベースシートの両側部に位置して縦方向へ延びる固定側部と、縦方向へ延びる伸縮性弾性部材が収縮可能に取り付けられて前記ベースシートの上方へ起立性向を有する自由部と、前記ベースシートの前後端部に位置して横方向へ倒伏した固定両端部とを有する使い捨て着用物品において、
前記物品が、前記防漏シートの間に位置して前記ベースシートの前胴周り域と股下域とに延在する体液吸収性第２パネルを有し、前記第１パネルが、前記ベースシートの後胴周り域と股下域とに延在し、前記第２パネルが、前記ベースシートの前胴周り域の少なくとも前端部に固着された固定前域と、前記股下域に位置して前記ベースシートに非固着の自由後域と、前記ベースシートの両側部に位置する両側域とを有し、
前記第２パネルの自由後域が、前記ベースシートの両側部から上方へ延びていて前記防漏シートの自由部に固着された一対の脚部と、前記脚部の間に位置して該脚部の上方へ凸となる中央部とから形成され、前記中央部の少なくとも一部が、前記防漏シートの自由部の頂部分から上方へ延出し、前記ベースシートと前記第２パネルの自由後域とが、前記前胴周り域と前記股下域とのうちの少なくとも該股下域において開口するポケットを形成していることを特徴とする前記着用物品。
【請求項２】
前記自由後域の内端部分では、前記脚部と前記中央部とが前記第２パネルの上方へ向かって折り曲げられ、折り曲げられた前記中央部が前記防漏シートの自由部の頂部分から上方へ延出している請求項１記載の着用物品。
【請求項３】
前記自由後域の内端部分では、前記脚部と前記中央部とのうちの少なくとも該中央部の厚み寸法が前記内端部分を除く前記自由後域の残余のそれよりも大きく、前記中央部が前記内端部分において前記防漏シートの自由部の頂部分から上方へ延出している請求項１記載の着用物品。
【請求項４】
前記自由後域の脚部が、前記防漏シートの自由部の頂部分の下方に固着され、前記頂部分が、前記脚部の上方へ延出している請求項１ないし請求項３いずれかに記載の着用物品。
【請求項５】
前記ポケットには、横方向へ延びるスペーサが配置され、前記スペーサが、前記自由後域の脚部と両側域とのうちの少なくとも一方に固着された固定両端部と、前記固定両端部の間に延びる自由中間部とを有し、前記自由後域の脚部どうしが、前記スペーサによって前記ベースシートの横方向内方へ引き寄せられている請求項１ないし請求項４いずれかに記載の着用物品。
【請求項６】
前記スペーサが、横方向へ弾性的な伸縮性を有して前記ポケットに収縮可能に配置され、前記自由後域の脚部どうしが、前記スペーサの収縮力によって前記ベースシートの横方向内方へ引き寄せられている請求項５記載の着用物品。
【請求項７】
横方向へ所定寸法離間して縦方向に延びる一対の折曲案内部が、前記第２パネルの自由後域における脚部と中央部との間に形成されている請求項１ないし請求項６いずれかに記載の着用物品。
【請求項８】
前記折曲案内部は、互いの離間寸法が前記自由後域の内端部分から前記固定前域の側へ向かって次第に大きくなり、前記固定前域の側において前記両側域に達している請求項７記載の着用物品。
【請求項９】
前記自由後域の脚部が、前記折曲案内部近傍において前記防漏シートの自由部に固着されている請求項７または請求項８に記載の着用物品。
【請求項１０】
前記折曲案内部における前記第２パネルの剛性が、前記折曲案内部を除く前記第２パネルの自由後域のそれよりも低い請求項７ないし請求項９いずれかに記載の着用物品。
【請求項１１】
前記折曲案内部における前記第２パネルの剛性が、前記折曲案内部を除く前記第２パネルの自由後域のそれよりも高い請求項７ないし請求項９いずれかに記載の着用物品。
【請求項１２】
前記第１パネルが、前記ベースシートの後胴周り域と股下域の略後半分とに延在し、前記第２パネルが、前記ベースシートの前胴周り域と股下域の略前半分とに延在し、前記第１パネルの内端部分が、前記第２パネルの自由後域の下方に位置して前記ポケットに延出している請求項１ないし請求項１１いずれかに記載の着用物品。
【請求項１３】
前記第１パネルが、透液性第１シートと、前記第１シートの下方に位置する吸液性第１コアとから形成され、前記第２パネルが、透液性第２シートと、前記第２シートに包被された吸液性第２コアとから形成されている請求項１ないし請求項１２いずれかに記載の着用物品。
【発明の詳細な説明】
【技術分野】
【０００１】
本発明は、排泄物を吸収、保持する使い捨て着用物品に関する。
【背景技術】
【０００２】
縦方向に前胴周り域および後胴周り域とそれら胴周り域の間に位置する股下域とを有し、肌当接側に位置する透液性表面シートと、肌非当接側に位置する不透液性裏面シートと、表裏面シートの間に介在して前後胴周り域間に延びる吸液性コアとから構成され、コアが厚み方向へ重なる上層コアと下層コアとから形成された使い捨ておむつがある（特許文献１参照）。
【０００３】
上層コアは、前胴周り域から股下域に延びる前部コアと、股下域から後胴周り域に延びる後部コアとから形成されている。股下域に位置する前後部コアの対向端部どうしは、縦方向へ所定寸法離間している。前後部コアの対向端部の間には、表面シートに被覆された下層コアが露出している。上層コアの上面を被覆する表面シートは、前後部コアの対向端部において下層コアの側に向かって折曲され、上層コアと下層コアとの間に折り込まれている。このおむつは、股下域において前後部コアと下層コアとの間に段差が形成され、前後部コアの対向端部と下層コアとからおむつの厚み方向へ凹む凹部が形成されている。
【特許文献１】特開平８−１９６５６５号公報
【発明の開示】
【発明が解決しようとする課題】
【０００４】
特許文献１に開示のおむつでは、前後部コアの下面と下層コアの上面とが容易に当接し、前部コアと下層コアとの間に空間を形成することが難しく、後部コアと下層コアとの間に空間を形成することが難しいので、排泄物が股下域に形成された凹部に進入したとしても、排泄物を前部コアと下層コアとの間や後部コアと下層コアとの間に収容することができない。このおむつでは、前後部コアと下層コアとの間にわずかな空間が形成されたとしても、空間に多量の排泄物を収容することができず、排泄物が前後部コアや下層コアの上面を拡散し、排泄物のうちの尿と大便とが混ざり合って着用者の肌を汚してしまう場合がある。また、このおむつは、前後胴周り域において上層コアと下層コアとが互いに重なり合っているので、前後胴周り域におけるコアの厚み寸法が必要以上に増加し、コアが嵩張って着用したおむつに対する違和感がある。
【０００５】
本発明の目的は、股下域に大便を収容可能なポケットを形成し、尿と大便との混ざり合いを防ぐことができ、着用中における違和感がない使い捨て着用物品を提供することにある。
【課題を解決するための手段】
【０００６】
前記課題を解決するための本発明の前提は、縦方向に前後胴周り域および股下域を有する不透液性ベースシートと、ベースシートの両側部に配置された一対の不透液性防漏シートと、防漏シートの間に位置してベースシートに固着された体液吸収性第１パネルとから構成され、防漏シートが、ベースシートの両側部に位置して縦方向へ延びる固定側部と、縦方向へ延びる伸縮性弾性部材が収縮可能に取り付けられてベースシートの上方へ起立性向を有する自由部と、ベースシートの前後端部に位置して横方向へ倒伏した固定両端部とを有する使い捨て着用物品である。
【０００７】
前記前提における本発明の特徴は、以下のとおりである。物品が、防漏シートの間に位置してベースシートの前胴周り域と股下域とに延在する体液吸収性第２パネルを有し、第１パネルが、ベースシートの後胴周り域と股下域とに延在し、第２パネルが、ベースシートの前胴周り域の少なくとも前端部に固着された固定前域と、股下域に位置してベースシートに非固着の自由後域と、ベースシートの両側部に位置する両側域とを有し、第２パネルの自由後域が、ベースシートの両側部から上方へ延びていて防漏シートの自由部に固着された一対の脚部と、脚部の間に位置して該脚部の上方へ凸となる中央部とから形成され、第２パネルの自由後域の中央部の少なくとも一部が、防漏シートの自由部の頂部分から上方へ延出している。本発明では、ベースシートと第２パネルの自由後域とが前胴周り域と股下域とのうちの少なくとも該股下域において開口するポケットを形成している。
【０００８】
本発明は、以下の実施態様を有する。
（１）本発明の実施態様の一例として、自由後域の内端部分では、脚部と中央部とが第２パネルの上方へ向かって折り曲げられ、折り曲げられた中央部が防漏シートの自由部の頂部分から上方へ延出している。
（２）本発明の実施態様の他の一例として、自由後域の内端部分では、脚部と中央部とのうちの少なくとも該中央部の厚み寸法が内端部分を除く自由後域の残余のそれよりも大きく、中央部が内端部分において防漏シートの自由部の頂部分から上方へ延出している。
（３）本発明の実施態様の他の一例は、自由後域の脚部が防漏シートの自由部の頂部分の下方に固着され、頂部分が脚部の上方へ延出している。
（４）本発明の実施態様の他の一例として、ポケットには、横方向へ延びるスペーサが配置され、スペーサが、自由後域の脚部と両側域とのうちの少なくとも一方に固着された固定両端部と、固定両端部の間に延びる自由中間部とを有し、自由後域の脚部どうしがスペーサによってベースシートの横方向内方へ引き寄せられている。
（５）本発明の実施態様の他の一例は、スペーサが横方向へ弾性的な伸縮性を有してポケットに収縮可能に配置され、自由後域の脚部どうしがスペーサの収縮力によってベースシートの横方向内方へ引き寄せられている。
（６）本発明の実施態様の他の一例は、横方向へ所定寸法離間して縦方向に延びる一対の折曲案内部が第２パネルの自由後域における脚部と中央部との間に形成されている。
（７）本発明の実施態様の他の一例として、折曲案内部は、互いの離間寸法が第２パネルの自由後域の内端部分から固定前域の側へ向かって次第に大きくなり、固定前域の側において両側域に達している。
（８）本発明の実施態様の他の一例は、自由後域の脚部が折曲案内部近傍において防漏シートの自由部に固着されている。
（９）本発明の実施態様の他の一例は、折曲案内部における第２パネルの剛性が折曲案内部を除く第２パネルの自由後域のそれよりも低い。
（１０）本発明の実施態様の他の一例は、折曲案内部における第２パネルの剛性が折曲案内部を除く第２パネルの自由後域のそれよりも高い。
（１１）本発明の実施態様の他の一例は、第１パネルがベースシートの後胴周り域と股下域の略後半分とに延在し、第２パネルがベースシートの前胴周り域と股下域の略前半分とに延在し、第１パネルの内端部分が第２パネルの自由後域の下方に位置してポケットに延出している。
（１２）本発明の実施態様の他の一例は、第１パネルが、透液性第１シートと、第１シートの下方に位置する吸液性第１コアとから形成され、第２パネルが、透液性第２シートと、第２シートに包被された吸液性第２コアとから形成されている。
【発明の効果】
【０００９】
本発明に係る使い捨て着用物品によれば、第２パネルの自由後域がベースシートの上方へ向かって凸となるように湾曲し、ベースシートと自由後域との間に前胴周り域と股下域とのうちの少なくとも該股下域において開口するポケットが形成されているので、股下域や後胴周り域に排泄された大便が前胴周り域に向かって流動したとしても、大便をポケットに収容することができる。この物品は、前胴周り域と股下域とに排泄された尿が第２パネルに吸収保持され、股下域と後胴周り域とに排泄された大便が第１パネルに吸収保持されるとともにポケットに収容されるので、尿と大便とを分離することができ、尿と大便とが混ざり合うことによる着用者の肌の汚れを防ぐことができる。この物品は、第２パネルの自由後域の脚部が防漏シートの自由部に固着され、自由後域が防漏シートの自由部によってベースシートの上方へ持ち上げられているので、ベースシートの上方へ凸となる自由後域の形態が防漏シートの自由部によって保持され、ベースシートの上方へ延びる自由後域の脚部が不用意に倒伏することはなく、防漏シートの自由部を利用してベースシートと第２パネルの自由後域との間に形成されたポケットの形態を保持することができる。この物品は、ポケットがその口を閉じ難く、ポケットに大便を確実に収容することができる。この物品は、自由後域の中央部の少なくとも一部が防漏シートの自由部の頂部分から上方へ延出し、物品の着用中に自由後域の中央部が着用者の性器と肛門との間に密着し、自由後域の中央部が着用者の性器と肛門とを仕切る障壁を形成するので、尿と大便とを確実に分離することができ、尿と大便とが混ざり合うことによる着用者の肌の汚れを確実に防ぐことができる。この物品は、前後胴周り域において第１および第２パネルが重なり合うことがなく、それらパネルが嵩張ることがないので、着用した物品に対する違和感がない。
【００１０】
自由後域の内端部分において脚部と中央部とが第２パネルの上方へ向かって折り曲げられ、折り曲げられた中央部が防漏シートの自由部の頂部分から上方へ延出している物品は、物品の着用中に折り曲げられた中央部が着用者の性器と肛門との間に確実に密着し、中央部が着用者の性器と肛門とを仕切る障壁を形成するので、尿と大便とを確実に分離することができ、尿と大便とが混ざり合うことによる着用者の肌の汚れを確実に防ぐことができる。
【００１１】
自由後域の内端部分における脚部と中央部とのうちの少なくとも該中央部の厚み寸法が内端部分を除く自由後域の残余のそれよりも大きく、中央部が内端部分において防漏シートの自由部の頂部分から上方へ延出している物品は、中央部が着用者の性器と肛門との間に確実に密着し、中央部が着用者の性器と肛門とを仕切る障壁を形成するので、尿と大便とを確実に分離することができ、尿と大便とが混ざり合うことによる着用者の肌の汚れを確実に防ぐことができる。
【００１２】
自由後域の脚部が防漏シートの自由部の頂部分の下方に固着され、頂部分が脚部の上方へ延出している物品は、自由後域の上面を拡散する尿が脚部に向かって流動したとしても、防漏シートの自由部の頂部分が尿に対する障壁を形成して尿の流動を阻止するので、自由後域における尿の横漏れを防ぐことができる。
【００１３】
横方向へ延びるスペーサがポケットに配置され、スペーサによって第２パネルの自由後域の脚部どうしがベースシートの横方向内方へ引き寄せられた物品は、ベースシートの上方へ凸となる自由後域の形態がスペーサによって保持され、ベースシートの上方へ延びる脚部が不用意に倒伏することはなく、スペーサを利用してベースシートと第２パネルの自由後域との間に形成されたポケットの形態を確実に保持することができる。この物品は、ポケットがその口を閉じ難く、ポケットに大便を確実に収容することができる。
【００１４】
横方向へ弾性的な伸縮性を有して横方向へ延びるスペーサがポケットに収縮可能に配置され、スペーサの収縮力によって第２パネルの自由後域の脚部どうしがベースシートの横方向内方へ引き寄せられた物品は、ベースシートの上方へ凸となる自由後域の形態がスペーサによって保持され、ベースシートの上方へ延びる脚部が不用意に倒伏することはなく、スペーサの収縮力を利用してベースシートと第２パネルの自由後域との間に形成されたポケットの形態を確実に保持することができる。この物品は、ポケットがその口を閉じ難く、ポケットに大便を確実に収容することができる。
【００１５】
横方向へ所定寸法離間して縦方向に延びる一対の折曲案内部が第２パネルの自由後域における脚部と中央部との間に形成された物品は、自由後域がそれら折曲案内部を介して折れ曲がるので、折曲案内部の両側に位置する自由後域の脚部がベースシートの上方へ起立し易く、第２パネルの自由後域がベースシートの上方へ容易に凸となり、ベースシートと第２パネルの自由後域との間にポケットを確実に形成することができる。
【００１６】
折曲案内部どうしの離間寸法が自由後域から固定前域の側へ向かって次第に大きくなり、折曲案内部が固定前域の側において両側域に達している物品は、第２パネルの自由後域がそれら折曲案内部を介して折れ曲がることで、自由後域が折曲案内部の両側に位置する脚部と折曲案内部の間に位置する中央部とに明確に区画され、脚部がベースシートの上方へ起立し易く、自由後域がベースシートの上方へ容易に凸となり、ベースシートと第２パネルの自由後域との間にポケットを確実に形成することができる。
【００１７】
第２パネルの自由後域の脚部が折曲案内部近傍において防漏シートの自由部に固着された物品は、防漏シートの自由部が自由後域をベースシートの上方へ持ち上げることにともなって第２パネルの自由後域を折曲案内部において折り曲げるので、第２パネルの自由後域が折曲案内部で確実に折れ曲がり、脚部がベースシートの上方へ起立し易く、自由後域がベースシートの上方へ容易に凸となり、ベースシートと第２パネルの自由後域との間にポケットを確実に形成することができる。
【００１８】
折曲案内部における第２パネルの剛性が折曲案内部を除く第２パネルの自由後域のそれよりも低い物品は、自由後域が折曲案内部において確実に折れ曲がるので、第２パネルの自由後域がベースシートの上方へ容易に凸となり、ベースシートと第２パネルの自由後域との間にポケットを確実に形成することができる。
【００１９】
折曲案内部における前記第２パネルの剛性が折曲案内部を除く第２パネルの自由後域のそれよりも高い物品は、自由後域が折曲案内部の両側において確実に折れ曲がるので、第２パネルの自由後域がベースシートの上方へ容易に凸となり、ベースシートと第２パネルの自由後域との間にポケットを確実に形成することができる。
【００２０】
第１パネルがベースシートの後胴周り域と股下域の略後半分とに延在し、第２パネルがベースシートの前胴周り域と股下域の略前半分とに延在するとともに、第１パネルの内端部分が第２パネルの自由後域の下方に位置してポケットに延出している物品は、ポケットが股下域の略前半分に形成され、股下域の前半分に排泄された尿が第２パネルに吸収保持され、股下域の後半分に排泄された大便が第１パネルに吸収保持されるとともに股下域に開口するポケットに収容される。この物品は、着用者の性器と肛門との間に第２パネルの自由後域が位置するので、尿と大便とを確実に分離することができ、尿と大便とが混ざり合うことによる着用者の肌の汚れを確実に防ぐことができる。この物品は、尿が第２パネルを透過してポケットに漏出したとしても、ポケットにおいて尿や大便を第１パネルに吸収保持させることができるので、ポケットにおける尿と大便との混ざり合いを防ぐことができる。
【００２１】
第１パネルが透液性第１シートと第１シートの下方に位置する吸液性第１コアとから形成され、第２パネルが透液性第２シートと第２シートに包被された吸液性第２コアとから形成された物品は、尿が第２コアに吸収保持され、大便が第１コアに吸収保持されるので、尿や大便が第１および第２パネルから漏出することがない。
【発明を実施するための最良の形態】
【００２２】
添付の図面を参照し、本発明に係る使い捨て着用物品の詳細を説明すると、以下のとおりである。
【００２３】
図１，２は、一例として示す使い捨て着用物品２０Ａの斜視図と、第１および第２パネル２３，２４の側から示す図１の物品２０Ａの部分破断平面図とであり、図３，４は、図１の３−３線矢視断面図と、図１の４−４線矢視断面図とである。図１，２では、横方向を矢印Ｌ、縦方向を矢印Ｍで示し、厚み方向を矢印Ｎ（図１のみ）で示す。図２は、物品２０Ａを弾性部材３３，３７の収縮力に抗して縦横方向へ展開させた状態で示している。なお、ベースシート２１や防漏シート２２、透液性シート４０，５１，５２、不透液性シート４１の内面とは、コア４２，５４に対向する面をいい、それらシート２１，２２，４０，４１，５１，５２の外面とは、コア４２，５４に非対向の面をいう。
【００２４】
物品２０Ａは、不透液性ベースシート２１と、ベースシート２１の内側に配置されて縦方向へ延びる一対の不透液性防漏シート２２と、ベースシート２１の内側に配置されて縦方向へ並ぶ体液吸収性第１パネル２３および体液吸収性第２パネル２４とから構成されている。
【００２５】
ベースシート２１は、２枚の疎水性繊維不織布２５，２６をラミネートした複合不織布から形成されている。不織布２５，２６は、それらの対向面が固着されている。ベースシート２１は、縦方向に前胴周り域２７および後胴周り域２９と、それら胴周り域２７，２９の間に位置する股下域２８とを有する。ベースシート２１は、前後胴周り域２７，２９に位置して横方向へ延びる前後端部３０，３１と、前後胴周り域２７，２９間に縦方向へ延びる両側部３２とを有する。股下域２８では、両側部３２が横方向内方へ向かって弧を画いている。ベースシート２１は、その平面形状が砂時計型を呈する。ベースシート２１には、股下域２８の両側部３２に位置して縦方向へ延びる複数条の脚周り用弾性部材３３が収縮可能に取り付けられている。脚周り用弾性部材３３は、不織布２５，２６の間に介在し、縦方向へ所定の倍率に伸長された状態で不織布２５，２６の対向面に固着されている。
【００２６】
防漏シート２２は、ベースシート２１の両側部３２に配置されている。防漏シート２２は、両側部３２に位置して縦方向へ延びる固定側部３４と、固定側部３４に並行して縦方向へ延びていてベースシート２１の上方へ起立性向を有する自由部３５と、前後端部３０，３１に位置してベースシート２１の横方向内方へ倒伏した固定両端部３６とから形成されている。固定側部３４と自由部３５とは、ベースシート２１の前後端部３０，３１間に延びている。自由部３５は、縦方向へ延びる伸縮性弾性部材３７が収縮可能に取り付けられた頂部分３８と、固定側部３４と頂部分３８との間に延びる中央部分３９とを有する。弾性部材３７は、縦方向へ所定の倍率に伸長された状態で頂部分３８に固着されている。物品２０Ａがベースシート２１の内面を内側にして縦方向へ湾曲すると、弾性部材３７が収縮して頂部分３８が縦方向へ縮み、自由部３５がベースシート２１の上方へ起立して排泄物に対する障壁を形成する。
【００２７】
第１パネル２３は、縦方向へ長い矩形を呈し、防漏シート２２の間に位置してベースシート２１の股下域２８の略後半分と後端部３１を除く後胴周り域２９の略前半分とに延在している。第１パネル２３は、肌当接側に位置する透液性シート４０（透液性第１シート）と、肌非当接側に位置する不透液性シート４１と、透液性シート４０と不透液性シート４１との間に介在してそれらシート４０，４１の内面に接合された吸液性コア４２（吸液性第１コア）とから形成されている。コア４２は、その上面全体が透液性シート４０に被覆され、その下面全体が不透液性シート４１に被覆されている。
【００２８】
第１パネル２３は、ベースシート２１の股下域２８の後半分に位置してシート２１に固着された固定前域４３と、ベースシート２１の後胴周り域２９の前半分に位置してシート２１に固着された固定後域４４と、ベースシート２１の両側部３２に位置してシート２１に固着された固定両側域４５とを有する。固定前後域４３，４４は、その大部分がシート４０，４１とコア４２とから形成されている。固定両側域４５は、互いに重なり合うシート４０，４１から形成されている。それら域４３，４４，４５では、不透液性シート４１の外面がベースシート２１（不織布２５）の内面に固着されている。第１パネル２３では、コア４２の両端縁４６から縦方向外方へシート４０，４１の端部４７，４８が延び、コア４２の両側縁４９から横方向外方へシート４０，４１の側部５０，５１が延びている。第１パネル２３では、シート４０，４１の端部４７，４８が互いに重なり合った状態で固着され、シート４０，４１の側部５０，５１が互いに重なり合った状態で固着されている。
【００２９】
第２パネル２４は、縦方向へ長い矩形を呈し、防漏シート２２の間に位置してベースシート２１の前端部３０を除く前胴周り域２７の略後半分と股下域２８の略前半分とに延在している。第２パネル２４は、肌当接側に位置する透液性シート５２（透液性第２シート）と、肌非当接側に位置する透液性シート５３（透液性第２シート）と、透液性シート５２，５３の間に介在してそれらシート５２，５３の内面に接合された吸液性コア５４（吸液性第２コア）とから形成されている。コア５４は、その上面全体が透液性シート５２に被覆され、その下面全体が透液性シート５４に被覆されている。
【００３０】
第２パネル２４は、ベースシート２１の前胴周り域２７の後半分に位置してシート２１に固着された固定前域５５と、ベースシート２１の股下域２８の前半分に位置してシート２１に非固着の自由後域５６と、ベースシート２１の両側部３２に位置してシート２１に固着された固定両側域５７（両側域）とを有する。固定前域５５と自由後域５６とは、その大部分がシート５２，５３とコア５４とから形成されている。固定両側域５７は、互いに重なり合うシート５２，５３から形成されている。固定前域５５と固定両側域５７とでは、透液性シート５３の外面がベースシート２１（不織布２５）の内面に固着されている。第２パネル２４では、コア５４の両端縁５８から縦方向外方へシート５２，５３の端部５９，６０が延び、コア５４の両側縁６１から横方向外方へシート５２，５３の側部６２，６３が延びている。第２パネル２４では、シート５２，５３の端部５９，６０が互いに重なり合った状態で固着され、シート５２，５３の側部６２，６３が互いに重なり合った状態で固着されている。自由後域５６の内端部分６４では、シート５２，５３の端部５９，６０がコア５４の下面に向かって折り曲げられている。
【００３１】
第２パネル２４の自由後域５６は、ベースシート２１の両側部３２の側に位置する一対の脚部６５と、脚部６５の間に位置する中央部６６とから形成されている。脚部６５と中央部６６とは、シート５２，５３とコア５４とから形成されている。脚部６５は、ベースシート２１から上方へ延び、シート２１の上方へ凸となるように弧を画いている。中央部６６は、脚部６５の上方へ凸となるように弧を画いている。脚部６５は、その一部が防漏シート２２の自由部３５のうちの頂部分３８の側に位置する中央部分３９に固着されている。脚部６５では、透液性シート５２の外面が接着剤６７を介して防漏シート２２に固着されている。なお、脚部６５全体が自由部３５の中央部分３９に固着されていてもよく、防漏シート２２の頂部分３８を含む自由部３５全体が脚部６５に固着されていてもよい。
【００３２】
自由後域５６の中央部６６は、防漏シート２２の自由部３５の下端６８からの最大高さ寸法Ｎ１が防漏シート２２の自由部３５の下端６８から頂部分３８までの最大高さ寸法Ｎ２よりも大きく、その一部（中央部６６の横方向中央部分）が防漏シート２２の自由部３５の頂部分３８から上方へ延出し、頂部分３８の上方に位置している（図４参照）。頂部分３８は、自由後域５６の脚部６５の上方に延出している。
【００３３】
第２パネル２４の自由後域５６は、起立する防漏シート２２の自由部３５によってベースシート２１の上方へ持ち上げられている。ベースシート２１と第２パネル２４の自由後域５６との間には、股下域２８から後胴周り域２９に向かって開口するポケット６９が形成されている。ポケット６９は、股下域２８の略前半分に形成されている。第２パネル２４の自由後域５６の下方には、第１パネル２３の固定前域４３の内端部分７０が位置している。内端部分７０は、ポケット６９に延出している。
【００３４】
ベースシート２１の前胴周り域２７では、防漏シート２２の固定端部３６がシート２１（不織布２５）の内面に固着され、透液性シート５２，５３の端部５９，６０がベースシート２１（不織布２５）と防漏シート２２との間に介在してそれらシート２１，２２の内外面に固着されている。ベースシート２１の後胴周り域２９では、防漏シート２２の固定端部３６がシート２１（不織布２５）の内面に固着され、透液性シート４０と不透液性シート４１との端部４７，４８がベースシート２１（不織布２５）と防漏シート２２との間に介在してそれらシート２１，２２の内外面に固着されている。ベースシート２１の両側部３２では、防漏シート２２の固定側部３４がシート２１（不織布２５）の内面に固着され、透液性シート４０，５２，５３と不透液性シート４１との側部５０，５１，６２，６３がベースシート２１（不織布２５）と防漏シート２２との間に介在してそれらシート２１，２２の内外面に固着されている。
【００３５】
後胴周り域２９の両側部３２には、繊維不織布から形成された一対の可撓性テープファスナ７１が取り付けられている。テープファスナ７１は、横方向へ延びる固定端部７２と自由端部７３とを有する。固定端部７２は、不織布２５，２６との間に介在し、不織布２５，２６の対向面に固着されている。自由端部７３の内面には、フック部材７４が取り付けられている。自由端部７３は、横方向内方へ折り曲げられ、フック部材７４を介してベースシート２１（不織布２５）に着脱可能に仮止めされている。なお、自由端部７３には、フック部材で７４はなく、感圧型接着剤が塗布されていてもよい。
【００３６】
前胴周り域２７には、テープファスナ７１の自由端部７３を着脱可能に止着する可撓性のターゲットテープ７５が取り付けられている。ターゲットテープ７５は、横長矩形を呈し、プラスチックフィルムとフィルムに取り付けられたループ部材とから形成されている（図示せず）。ターゲットテープ７５は、それを形成するフィルムがベースシート２１（不織布２６）の外面に固着されている。テープファスナ７１の自由端部７３に感圧型接着剤を塗布する場合は、ターゲットテープ７５にプラスチックフィルムが使用される。
【００３７】
物品２０Ａを着用するには、後胴周り域２９の両側部３２を前胴周り域２７の両側部３２の外側に重ね合わせ、フック部材７４を介してテープファスナ７１の自由端部７３をターゲットテープ７５に止着して前胴周り域２７と後胴周り域２９とを連結する。前後胴周り域２７，２９が連結された物品２０Ａには、胴周り開口とその下方に一対の脚周り開口とが形成される（図示せず）。物品２０Ａでは、その着用中に前胴周り域２７と股下域２８の前半分とに排泄された尿が第２パネル２４のコア５４に吸収保持され、股下域２８の後半分と後胴周り域２９とに排泄された大便が第１パネル２３のコア４２に吸収保持されるとともに、前胴周り域２７に向かって流動した大便がポケット６９に収容される。
【００３８】
物品２０Ａは、第２パネル２４の自由後域５６がベースシート２１の上方へ向かって凸となるように湾曲し、ベースシート２１と自由後域２４との間に股下域２８から後胴周り域２９に向かって開口するポケット６９が形成されているので、股下域２８や後胴周り域２９に排泄された大便が前胴周り域２７に向かって流動したとしても、大便をポケット６９に収容することができる。物品２０Ａは、尿が第２パネル２４に吸収保持され、大便が第１パネル２３に吸収保持されるとともにポケット６９に収容されるので、尿と大便とを分離することができ、尿と大便とが混ざり合うことによる着用者の肌の汚れを防ぐことができる。
【００３９】
物品２０Ａは、第２パネル２４の自由後域５６の脚部６５が防漏シート２２の自由部３５に固着され、自由後域５６が自由部３５によってベースシート２１の上方へ持ち上げられているので、シート２１の上方へ凸となる自由後域５６の形態が自由部３５によって保持され、シート２１の上方へ延びる脚部６５が不用意に倒伏することはなく、自由部３５を利用してポケット６９の形態を保持することができる。物品２０Ａは、ポケット６９がその口を閉じ難く、ポケット６９に大便を確実に収容することができる。
【００４０】
物品２０Ａは、自由後域５６の中央部６６の一部が防漏シート２２の自由部３５の頂部分３８から上方へ延出し、物品２０Ａの着用中に中央部６６が着用者の性器と肛門との間に密着し、中央部６６が着用者の性器と肛門とを仕切る障壁を形成するので、尿と大便とを確実に分離することができ、尿と大便とが混ざり合うことによる着用者の肌の汚れを確実に防ぐことができる。
【００４１】
物品２０Ａは、防漏シート２２の自由部３５の頂部分３８が第２パネル２４の自由後域５６の脚部６５から上方へ延出しているので、第２パネル２４の上面（透液性シート５２の上面）を拡散する尿が両側域５７に向かって流動したとしても、尿の流動が頂部分３８によって阻止され、両側域５７からの尿の横漏れを防ぐことができる。物品２０Ａは、頂部分３８の上方に位置する自由後域５６の中央部６６が頂部分３８よりも先に着用者の肌に当接するので、頂部分３８が物品２０Ａの横方向へ倒伏することはなく、頂部分３８が尿に対する障壁としての機能を失うことがない。物品２０Ａは、防漏シート２２の自由部３５が尿に対する障壁を形成するので、第１パネル２３の上面（透液性シート４０の上面）を拡散する尿がベースシート２１の両側部３２に向かって流動したとしても、尿の流動が自由部３５によって阻止され、両側部３２からの尿の横漏れを防ぐことができる。
【００４２】
物品２０Ａは、第１パネル２３の内端部分７０が第２パネル２４の自由後域５６の下方に位置してポケット６９に延出しているので、尿が第２パネル２４を透過してポケット６９に漏出したとしても、ポケット６９において尿や大便を第１パネル２３のコア４２に吸収保持させることができ、ポケット６９における尿と大便との混ざり合いを防ぐことができる。物品２０Ａは、前後胴周り域２７，２９において第１および第２パネル２３，２４が重なり合うことがなく、それらパネル２３，２４が嵩張ることがないので、着用した物品２０Ａに対する違和感がない。
【００４３】
図５，６は、他の一例として示す着用物品２０Ｂの斜視図と、第１および第２パネル２３，２４の側から示す図５の物品２０Ｂの部分破断平面図とであり、図７，８は、図５の７−７線矢視断面図と、図５の８−８線矢視断面図とである。図５，６では、横方向を矢印Ｌ、縦方向を矢印Ｍで示し、厚み方向を矢印Ｎ（図５のみ）で示す。図６は、物品２０Ｂを弾性部材３３，３７，７７の収縮力に抗して縦横方向へ展開させた状態で示している。
【００４４】
物品２０Ｂは、不透液性ベースシート２１と、シート２１の内側に配置されて縦方向へ延びる一対の不透液性防漏シート２２と、シート２１の内側に配置されて縦方向へ並ぶ体液吸収性第１および第２パネル２３，２４とから構成されている点において図１の物品２０Ａと同一である。この物品２０Ｂが図１のそれと異なるのは、ポケット６９に横方向へ延びるスペーサ７６が配置されている点、第２パネル２４に折曲案内部８１が形成されている点であり、その他の構成は図１の物品２０Ａと同一であるので、図１の物品２０Ａと同一の符合を付してその他の構成の説明は省略する。
【００４５】
ポケット６９には、横方向へ弾性的な伸縮性を有するスペーサ７６が収縮可能に配置されている。スペーサ７６は、縦方向に所定寸法離間して横方向へ延びる複数条の伸縮性弾性部材７７が収縮可能に取り付けられた透水性シート７８から形成されている。弾性部材７７は、横方向へ所定の倍率に伸長させた状態でシート７８に固着されている。スペーサ７６は、自由後域５６の脚部６５の下端近傍に固着された固定両端部７９と、固定両端部７９の間に延びる自由中間部８０とを有する。自由後域５６の脚部６５どうしは、スペーサ７６の収縮力によってベースシート２１の横方向内方へ引き寄せられている。第１パネル２３では、両側域４５がスペーサ７６の収縮力によってベースシート２１の横方向内方へ引き寄せられ、固定前域４３がベースシート２１とともに物品２０Ｂの厚み方向下方へ凸となるように湾曲している。
【００４６】
スペーサ７６の固定両端部７９は、自由後域５６の脚部６５と両側域５７とのうちの少なくとも一方に固着されていればよい。また、固定両端部７９は、第１パネル２３の両側域４５と第２パネル２４の両側域５７との間に介在し、それらパネル２３，２４の両側域４５，５７に固着されていてもよい。なお、スペーサ７６には、弾性部材を省いた伸縮性の透水性シートを使用することもできる。伸縮性の透水性シートには、伸縮性かつ親水性繊維不織布を使用することができる。また、スペーサ７６には、非伸縮性の透水性シートのみを使用することもできる。非伸縮性の透水性シートには、親水性繊維不織布を使用することができる。スペーサ７６に非伸縮性の透水性シートを使用する場合は、スペーサ７６の横寸法を第２パネル２４を形成するコア５４の両側縁６１間の横寸法よりも小さくする。それによって自由後域５６の脚部６５どうしがベースシート２１の横方向内方へ引き寄せられる。
【００４７】
第２パネル２４の自由後域５６における脚部６５と中央部６６との間には、横方向へ所定寸法離間して縦方向に延びる一対の折曲案内部８１が形成されている。折曲案内部８１は、互いの離間寸法が自由後域５６の内端部分６４から固定前域５５の側へ向かって次第に大きくなるようにベースシート２１の横方向内方へ弧を画き、固定前域５５の側において両側域５７に達している。第２パネル２４の自由後域５６は、折曲案内部８１を介して折れ曲がっている。
【００４８】
折曲案内部８１におけるコア５４の密度や坪量、厚み寸法は、案内部８１を除くコア５４のそれらよりも小さい。ゆえに、それら折曲案内部８１における第２パネル２４の剛性は、案内部８１を除く第２パネル２４のそれよりも低い。折曲案内部８１では、コア５４の密度や坪量、厚み寸法のうちの少なくとも密度と坪量とを案内部８１を除くコア５４のそれらよりも小さくすることで、案内部８１における第２パネル２４の剛性を案内部８１を除く第２パネル２４のそれよりも低くすることができる。なお、折曲案内部８１は、コア５４を除く透液性シート５２，５３のみから形成されていてもよい。折曲案内部８１は、自由後域５６の内端部分６４から両側域５７に達することなく、自由後域５６を縦方向へ縦断していてもよい。
【００４９】
自由後域５６の脚部６５は、ベースシート２１から上方へ延び、ベースシート２１の上方へ凸となるように弧を画いている。自由後域５６の中央部６６は、脚部６５の上方へ凸となるように弧を画いている。脚部６５は、その一部が折曲案内部８１近傍において防漏シート２２の自由部３５のうちの頂部分３８の側に位置する中央部分３９に固着されている。脚部６５では、透液性シート５２の外面が接着剤６７を介して防漏シート２２に固着されている。
【００５０】
自由後域５６の中央部６６は、防漏シート２２の自由部３５の下端６８からの最大高さ寸法Ｎ１が防漏シート２２の自由部３５の下端６８から頂部分３８までの最大高さ寸法Ｎ２よりも大きく、その一部（中央部６６の横方向中央部分）が防漏シート２２の自由部３５の頂部分３８から上方へ延出し、頂部分３８の上方に位置している（図８参照）。頂部分３８は、脚部６５の上方に延出している。
【００５１】
第２パネル２４の自由後域５６は、折曲案内部８１を介して折れ曲がるとともに、脚部６５がスペーサ７６によってベースシート２１の横方向内方へ引き寄せられ、さらに、防漏シート２２の自由部３５によってベースシート２１の上方へ持ち上げられている。ベースシート２１と第２パネル２４の自由後域５６との間には、股下域２８から後胴周り域２９に向かって開口するポケット６９が形成されている。ポケット６９は、股下域２８の略前半分に形成されている。自由後域５６の下方には、第１パネル２３の固定前域４３の内端部分７０が位置している。内端部分７０は、ポケット６９に延出している。
【００５２】
物品２０Ｂを着用する手順は、図１のそれと同一であるので、その説明は省略する。物品２０Ｂでは、その着用中に前胴周り域２７と股下域２８の前半分とに排泄された尿が第２パネル２４のコア５４に吸収保持され、股下域２８の後半分と後胴周り域２９とに排泄された大便が第１パネル２３のコア４２に吸収保持されるとともに、前胴周り域２７に向かって流動した大便がポケット６９に収容される。
【００５３】
物品２０Ｂは、ベースシート２１と第２パネル２４の自由後域５６との間に股下域２８から後胴周り域２９に向かって開口するポケット６９が形成されているので、股下域２８や後胴周り域２９に排泄された大便が前胴周り域２７に向かって流動したとしても、大便をポケット６９に収容することができる。物品２０Ｂは、尿が第２パネル２４に吸収保持され、大便が第１パネル２３に吸収保持されるとともにポケット６９に収容されるので、尿と大便とを分離することができ、尿と大便とが混ざり合うことによる着用者の肌の汚れを防ぐことができる。物品２０Ｂは、第１パネル２３の固定前域４３がベースシート２１とともに物品２０Ｂの厚み方向下方へ凸となるように弧を画いているので、図１の物品２０Ａと比較し、ポケット６９の大便収容容積が大きく、排泄された多量の大便をポケット６９に収容することができる。
【００５４】
物品２０Ｂは、第２パネル２４の自由後域５６が防漏シート２２の自由部３５によってベースシート２１の上方へ持ち上げられているので、シート２１の上方へ凸となる自由後域５６の形態が自由部３５によって保持され、シート２１の上方へ延びる脚部６５が不用意に倒伏することはなく、自由部３５を利用してポケット６９の形態を保持することができる。物品２０Ｂは、ポケット６９がその口を閉じ難く、ポケット６９に大便を確実に収容することができる。
【００５５】
物品２０Ｂは、横方向へ弾性的な伸縮性を有するスペーサ７６がポケット６９に収縮可能に配置され、スペーサ７６の収縮力によって自由後域５６の脚部６５どうしがベースシート２１の横方向内方へ引き寄せられているので、シート２１の上方へ凸となる自由後部５６の形態がスペーサ７６によって保持され、シート２１の上方へ延びる脚部６５が不用意に倒伏することはなく、スペーサ７６の収縮力を利用してポケット６９の形態を確実に保持することができる。物品２０Ｂは、その厚み方向へ着用者の体圧がかかり、第１パネル２３の固定前域４３と第２パネル２４の自由後域５６が潰れたとしても、体圧が解除されるとスペーサ７６の伸縮力によって固定前域４３が物品２０Ｂの厚み方向下方へ凸となるとともに、自由後域５６がベースシート２１の上方へ凸となるので、シート２１と自由後域５６との間に再びポケット６９が形成される。
【００５６】
物品２０Ｂは、第２パネル２４の自由後域５６の脚部６５が折曲案内部８１近傍において防漏シート２２の自由部３５に固着され、自由部３５が自由後域５６をベースシート２１の上方へ持ち上げることにともなって自由後域５６を折曲案内部８１において折り曲げるので、自由後域５６が案内部８１で確実に折れ曲がる。物品２０Ｂは、第２パネル２４の自由後域５６が折曲案内部８１を介して折れ曲がることで、自由後域５６が案内部８１の両側に位置する脚部６５と案内部８１の間に位置する中央部６６とに明確に区画され、脚部６５がベースシート２１の上方へ起立し易く、自由後域５６がシート２１の上方へ容易に凸となり、シート２１と自由後域５６との間にポケット６９を確実に形成することができる。
【００５７】
物品２０Ｂは、自由後域５６の中央部６６の一部が防漏シート２２の自由部３５の頂部分３８から上方へ延出し、物品２０Ｂの着用中に中央部６６が着用者の性器と肛門との間に密着し、中央部６６が着用者の性器と肛門とを仕切る障壁を形成するので、尿と大便とを確実に分離することができ、尿と大便とが混ざり合うことによる着用者の肌の汚れを確実に防ぐことができる。
【００５８】
物品２０Ｂは、防漏シート２２の自由部３５の頂部分３８が第２パネル２４の自由後域５６の脚部６５から上方へ延出しているので、第２パネル２４の上面（透液性シート５２の上面）を拡散する尿が両側域５７に向かって流動したとしても、尿の流動が頂部分３８によって阻止され、両側域５７からの尿の横漏れを防ぐことができる。物品２０Ｂは、頂部分３８の上方に位置する自由後域５６の中央部６６が頂部分３８よりも先に着用者の肌に当接するので、頂部分３８が物品２０Ｂの横方向へ倒伏することはなく、頂部分３８が尿に対する障壁としての機能を失うことがない。物品２０Ｂは、防漏シート２２の自由部３５が尿に対する障壁を形成するので、第１パネル２３の上面（透液性シート４０の上面）を拡散する尿がベースシート２１の両側部３２に向かって流動したとしても、尿の流動が自由部３５によって阻止され、両側部３２からの尿の横漏れを防ぐことができる。
【００５９】
物品２０Ｂは、第１パネル２３の内端部分７０が第２パネル２４の自由後域５６の下方に位置してポケット６９に延出しているので、尿が第２パネル２４を透過してポケット６９に漏出したとしても、ポケット６９において尿や大便を第１パネル２３のコア４２に吸収保持させることができ、ポケット６９における尿と大便との混ざり合いを防ぐことができる。物品２０Ｂは、前後胴周り域２７，２９において第１および第２パネル２３，２４が重なり合うことがなく、それらパネル２３，２４が嵩張ることがないので、着用した物品２０Ｂに対する違和感がない。
【００６０】
物品２０Ｂでは、スペーサ７６の収縮時における横寸法が第２パネル２４を形成するコア５４の両側縁６１間の横寸法Ｌ１に対して２０〜９３％の範囲にある。スペーサ７６の収縮時の横寸法は、横寸法Ｌ１に対して５０〜８０％の範囲にあることが好ましい。
【００６１】
物品２０Ｂでは、弾性部材７７を含むスペーサ７６の１００〜２５０％伸長時における横方向伸長応力が０．５〜１．５Ｎの範囲にある。スペーサ７６の伸長応力が０．５Ｎ未満では、スペーサ７６の収縮力によって自由後域５６の脚部６５をベースシート２１の横方向内方へ十分に引き寄せることができず、物品２０Ｂの厚み方向へわずかな体圧がかかっただけで自由後域５６が容易に潰れ、ポケット６９がその口を閉じてしまう場合がある。スペーサ７６の伸長応力が１．５Ｎを超過すると、スペーサ７６の収縮力によって股下域２８が横方向内方へ必要以上に縮み、ベースシート２１や第１パネル２３の固定前域４３、第２パネル２４の自由後域５６に多数の不規則なギャザーが形成され、ポケット６９の形態を保持することができないのみならず、股下域２８における第１および第２パネル２３，２４の体液吸収機能が低下し、股下域２８において尿や大便を十分に吸収することができない。物品２０Ｂは、スペーサ７６の伸長応力が前記範囲にあるので、ポケット６９の形態を確実に保持することができ、股下域２８における第１および第２パネル２３，２４の体液吸収機能が低下することはない。なお、スペーサ７６の伸長応力は、以下の方法で測定した。
（１）スペーサ７６（弾性部材７７を含む）を物品２０Ｂから分離し、スペーサ７６を裁断して縦寸法３０ｍｍ、横寸法１００ｍｍの伸長応力測定用サンプルを作成した。伸長応力測定には、島津製作所社製の引張り試験機を使用した。
（２）弾性部材７７の収縮によって縮んだ状態のサンプルの横方向両端部を引張り試験機のチャックで挟み（チャックによるサンプルの挟み寸法：約３５ｍｍ、チャック間寸法：約３０ｍｍ）、１００ｍｍ／ｍｉｎの速度でサンプルを横方向へ引っ張り、サンプルを２６０％まで伸長させた後、伸長状態を解除した。再度、試験機を介して１００ｍｍ／ｍｉｎの速度でサンプルを横方向へ引っ張り、サンプルを１００〜２５０％の範囲で伸長させ、そのときの試験機にかかる力を測定し、その測定値をスペーサ７６の横方向伸長応力とした。測定したサンプルの１００〜２５０％伸長時における横方向伸長応力は、０．５〜１．５Ｎであった。ここで、サンプルを２００％まで伸長させるとは、たとえば、サンプルの横寸法が３０ｍｍの場合、３０ｍｍに２．０を乗じた値である６０ｍｍまで伸ばすことをいう。
【００６２】
物品２０Ｂでは、折曲案内部８１を含む第２パネル２４の自由後域５６（コア５４を含む）の横方向の剛性値が０．５〜１．５ｍＮの範囲にあり、折曲案内部８１を除く第２パネル２４の自由後域５６（コア５４を含む）の剛性値が１．０〜２．０ｍＮの範囲にある。折曲案内部８１を含む自由後域５６の剛性値が１．５ｍＮを超過すると、自由後域５６が折曲案内部８１において折れ曲がり難く、脚部６５がベースシート２１の上方へ起立し難くなる。折曲案内部８１を除く自由後域５６の剛性値が１．０ｍＮ未満では、スペーサ７６の収縮力によって自由後域５６がベースシート２１の横方向内方へ必要以上に縮み、ポケット６９の形態を保持することができない。折曲案内部８１を除く自由後域５６の剛性値が２．０ｍＮを超過すると、第２パネル２４の柔軟性が低下し、着用者の肌に当接する第２パネル２４が着用者に不快な刺激を与える場合がある。なお、第２パネル２４の自由後域５６のそれら剛性値は、ガーレ法（ＪＩＳ Ｌ １０９６−０１−８.２０.１）に準拠して測定した。その測定方法は、以下のとおりである。
（１）物品２０Ｂから第２パネル２４を分離し、第２パネル２４を裁断して縦寸法２５ｍｍ、横寸法３０ｍｍの剛性値測定用サンプルを作成した。サンプルは、折曲案内部８１を含む第１サンプル（コア５４を含む）と、折曲案内部８１を除く第２サンプル（コア５４を含む）とを用意した。曲げ剛性の測定には、ガーレ柔軟度試験機を使用した。
（２）第１サンプルの縦方向一端部を試験機のチャックに挟み、第１サンプルの縦方向他端部を試験機の振り子にかけ、試験機の目盛りが３〜６の間になるように補助重りを取り付けた。試験機のスイッチを入れ、第１サンプルから振り子の回転ロッドが離れる瞬間の目盛りを読み、第１剛性値を測定した。次に、第１サンプルの縦方向他端部を試験機のチャックに挟み、第１サンプルの縦方向一端部を試験機の振り子にかけ、試験機の目盛りが３〜６の間になるように補助重りを取り付けた。次に、試験機のスイッチを入れ、第１サンプルから振り子の回転ロッドが離れる瞬間の目盛りを読み、第２剛性値を測定した。測定した第１および第２剛性値の平均を第１サンプルの曲げ剛性値とし、第１サンプルの曲げ剛性値を折曲案内部８１を含む自由後域５６の剛性値とした。第１サンプルの曲げ剛性値は０．５〜１．５ｍＮであった。
（３）第２サンプルの縦方向一端部を試験機のチャックに挟み、第２サンプルの縦方向他端部を試験機の振り子にかけ、試験機の目盛りが３〜６の間になるように補助重りを取り付けた。試験機のスイッチを入れ、第２サンプルから振り子の回転ロッドが離れる瞬間の目盛りを読み、第３剛性値を測定した。次に、第２サンプルの縦方向他端部を試験機のチャックに挟み、第２サンプルの縦方向一端部を試験機の振り子にかけ、試験機の目盛りが３〜６の間になるように補助重りを取り付けた。次に、試験機のスイッチを入れ、第２サンプルから振り子の回転ロッドが離れる瞬間の目盛りを読み、第４剛性値を測定した。測定した第３および第４剛性値の平均を第２サンプルの曲げ剛性値とし、第２サンプルの曲げ剛性値を折曲案内部８１を除く自由後域５６の剛性値とした。第２サンプルの曲げ剛性値は１．０〜２．０ｍＮであった。
【００６３】
図９，１０は、他の一例として示す着用物品２０Ｃの斜視図と、第１および第２パネル２３，２４の側から示す図９の物品２０Ｃの部分破断平面図とであり、図１１，１２は、図９の１１−１１線矢視断面図と、図９の１２−１２線矢視断面図とである。図９，１０では、横方向を矢印Ｌ、縦方向を矢印Ｍで示し、厚み方向を矢印Ｎ（図９のみ）で示す。図１０は、物品２０Ｃを弾性部材３３，３７，７７の収縮力に抗して縦横方向へ展開させた状態で示している。
【００６４】
物品２０Ｃは、不透液性ベースシート２１と、シート２１の内側に配置されて縦方向へ延びる一対の不透液性防漏シート２２と、シート２１の内側に配置されて縦方向へ並ぶ体液吸収性第１および第２パネル２３，２４とから構成されている点において図１の物品２０Ａと同一である。この物品２０Ｃが図１のそれと異なるのは、ポケット６９に横方向へ延びるスペーサ７６が配置されている点、第１および第２パネルに折曲案内部８１，８２が形成されている点、自由後域５６の内端部分６４において脚部６５と中央部６６とが第２パネル２３の上方へ向かって折り曲げられている点であり、その他の構成は図１の物品２０Ａと同一であるので、図１の物品２０Ａと同一の符合を付してその他の構成の説明は省略する。
【００６５】
ポケット６９には、横方向へ弾性的な伸縮性を有するスペーサ７６が収縮可能に配置されている。スペーサ７６は、縦方向に所定寸法離間して横方向へ延びる複数条の伸縮性弾性部材７７が収縮可能に取り付けられた透水性シート７８から形成されている。弾性部材７７は、横方向へ所定の倍率に伸長させた状態でシート７８に固着されている。スペーサ７６は、自由後域５６の脚部６５の下端近傍に固着された固定両端部７９と、固定両端部７９の間に延びる自由中間部８０とを有する。自由後域５６の脚部６５どうしは、スペーサ７６の収縮力によってベースシート２１の横方向内方へ引き寄せられている。
【００６６】
第１パネル２３の固定前域４３には、横方向へ所定寸法離間して縦方向へ延びる一対の折曲案内部８２が形成されている。折曲案内部８２は、互いの離間寸法が固定前域４３の内端部分７０から固定後域４４の側へ向かって次第に大きくなるようにベースシート２１の横方向内方へ弧を画き、固定後域４４の側において両側域４５に達している。第１パネル２３では、両側域４５がスペーサ７６の収縮力によってベースシート２１の横方向内方へ引き寄せられ、固定前域４３が折曲案内部８２を介して折れ曲がり、固定前域４３がシート２１とともに物品２０Ｃの厚み方向下方へ向かって凸となるように弧を画いている。
【００６７】
第２パネル２４の自由後域５６における脚部６５と中央部６６との間には、横方向へ所定寸法離間して縦方向に延びる一対の折曲案内部８１が形成されている。折曲案内部８１は、互いの離間寸法が自由後域５６の内端部分６４から固定前域５５の側へ向かって次第に大きくなるようにベースシート２１の横方向内方へ弧を画き、固定前域５５の側において両側域５７に達している。第２パネル２４の自由後域５６は、折曲案内部８１を介して折れ曲がっている。
【００６８】
それら折曲案内部８１，８２におけるコア４２，５４の密度や坪量、厚み寸法は、案内部８１，８２を除くコア４２，５４のそれらよりも小さい。ゆえに、それら折曲案内部８１，８２における第１および第２パネル２３，２４の剛性は、案内部８１，８２を除く第１および第２パネル２３，２４のそれよりも低い。それら折曲案内部８１，８２では、コア４２，５４の密度や坪量、厚み寸法のうちの少なくとも密度と坪量とを案内部８１，８２を除くコア４２，５４のそれらよりも小さくすることで、案内部８１，８２における第１および第２パネル２３，２４の剛性を案内部８１，８２を除く第１および第２パネル２３，２４のそれよりも低くすることができる。
【００６９】
なお、折曲案内部８２は、コア４２を除く透液性シート４０および不透液性シート４１のみから形成されていてもよい。折曲案内部８１は、コア５４を除く透液性シート５２，５３のみから形成されていてもよい。折曲案内部８２は、両側域４５に達することなく、第１パネル２３を縦方向へ縦断していてもよい。折曲案内部８１は、両側域５７に達することなく、自由後域５６を縦方向へ縦断していてもよい。
【００７０】
自由後域５６の脚部６５は、ベースシート２１から上方へ延び、ベースシート２１の上方へ凸となるように弧を画いている。自由後域５６の中央部６６は、脚部６５の上方へ凸となるように弧を画いている。脚部６５と中央部６６とは、自由後域５６の内端部分６４において第２パネル２４の上方へ向かって折り曲げられている。折り曲げられた脚部６５は、その一部が折曲案内部８１近傍において防漏シート２２の自由部３５のうちの頂部分３８の側に位置する中央部分３９に固着されている。脚部６５では、透液性シート５２の外面が接着剤６７を介して防漏シート２２に固着されている。
【００７１】
自由後域５６の中央部６６は、防漏シート２２の自由部３５の下端６８からの最大高さ寸法Ｎ１が防漏シート２２の自由部３５の下端６８から頂部分３９までの最大高さ寸法Ｎ２よりも大きい。折り曲げられた中央部６６は、防漏シート２２の自由部３５の頂部分３８から上方へ延出し、頂部分３８の上方に位置している。頂部分３８は、脚部６５の上方に延出している。
【００７２】
第２パネル２４の自由後域５６は、折曲案内部８１を介して折れ曲がるとともに、脚部６５がスペーサ７６によってベースシート２１の横方向内方へ引き寄せられ、さらに、防漏シート２２の自由部３５によってシート２１の上方へ持ち上げられている。ベースシート２１と第２パネル２４の自由後域５６との間には、股下域２８から後胴周り域２９に向かって開口するポケット６９が形成されている。ポケット６９は、股下域２８の略前半分に形成されている。第１パネル２３の内端部分７０は、第２パネル２４の自由後域５６の下方に位置してポケット６９に延出し、ベースシート２１とともに物品２０Ｃの厚み方向下方に凸となってポケット６９を形成している。
【００７３】
物品２０Ｃを着用する手順は、図１のそれと同一であるので、その説明は省略する。物品２０Ｃでは、その着用中に前胴周り域２７と股下域２８の前半分とに排泄された尿が第２パネル２４のコア５４に吸収保持され、股下域２８の後半分と後胴周り域２９とに排泄された大便が第１パネル２３のコア４２に吸収保持されるとともに、前胴周り域２７に向かって流動した大便がポケット６９に収容される。
【００７４】
物品２０Ｃは、ベースシート２１と第２パネル２４の自由後域５６との間に股下域２８から後胴周り域２９に向かって開口するポケット６９が形成されているので、股下域２８や後胴周り域２９に排泄された大便が前胴周り域２７に向かって流動したとしても、大便をポケット６９に収容することができる。物品２０Ｃは、尿が第２パネル２４に吸収保持され、大便が第１パネル２３に吸収保持されるとともにポケット６９に収容されるので、尿と大便とを分離することができ、尿と大便とが混ざり合うことによる着用者の肌の汚れを防ぐことができる。物品２０Ｃは、第１パネル２３の固定前域４３がベースシート２１とともに物品２０Ｃの厚み方向下方へ凸となるように弧を画いているので、図１の物品２０Ａと比較し、ポケット６９の大便収容容積が大きく、排泄された多量の大便をポケット６９に収容することができる。
【００７５】
物品２０Ｃは、第２パネル２４の自由後域５６が防漏シート２１の自由部３５によってベースシート２１の上方へ持ち上げられているので、シート２１の上方へ凸となる自由後域５６の形態が自由部３５によって保持され、シート２１の上方へ延びる脚部６５が不用意に倒伏することはなく、自由部３５を利用してポケット６９の形態を保持することができる。物品２０Ｃは、ポケット６９がその口を閉じ難く、ポケット６９に大便を確実に収容することができる。
【００７６】
物品２０Ｃは、横方向へ弾性的な伸縮性を有するスペーサ７６がポケット６９に収縮可能に配置され、スペーサ７６の収縮力によって第２パネル２４の自由後域５６の脚部６５どうしがベースシート２１の横方向内方へ引き寄せられているので、シート２１の上方へ凸となる自由後部５６の形態がスペーサ７６によって保持され、シート２１の上方へ延びる脚部６５が不用意に倒伏することはなく、スペーサ７６の収縮力を利用してポケッ６９トの形態を確実に保持することができる。物品２０Ｃは、その厚み方向へ着用者の体圧がかかり、第１パネル２３の固定前域４３と第２パネル２４の自由後域５６が潰れたとしても、体圧が解除されるとスペーサ７６の伸縮力によって固定前域４３が物品２０Ｃの厚み方向下方へ凸となるとともに、自由後域５６がベースシート２１の上方へ凸となるので、シート２１と自由後域５６との間に再びポケット６９が形成される。
【００７７】
物品２０Ｃは、第２パネル２４の自由後域５６の脚部６５が折曲案内部８１近傍において防漏シート２２の自由部３５に固着され、自由部３５が自由後域５６をベースシート２１の上方へ持ち上げることにともなって自由後域５６を折曲案内部８１において折り曲げるので、自由後域５６が案内部８１で確実に折れ曲がる。物品２０Ｃは、第２パネル２４の自由後域５６が折曲案内部８１を介して折れ曲がることで、自由後域５６が案内部８１の両側に位置する脚部６５と案内部８１の間に位置する中央部６６とに明確に区画され、脚部６５がベースシート２１の上方へ起立し易く、自由後域５６がシート２１の上方へ容易に凸となり、シート２１と第２パネル２４の自由後域５６との間にポケット６９を確実に形成することができる。
【００７８】
物品２０Ｃは、自由後域５６の内端部分６４において中央部６６が第２パネル２４の上方へ折り曲げられ、内端部分６４における中央部６６が防漏シート２２の自由部３５の頂部分３８から上方へ延出しているので、物品２０Ｃの着用中に折り曲げられた中央部６６が着用者の性器と肛門との間に確実に密着し、中央部６６が着用者の性器と肛門とを仕切る障壁を形成する。物品２０Ｃは、中央部６６が着用者の性器と肛門との間に密着することで、尿と大便とを確実に分離することができ、尿と大便とが混ざり合うことによる着用者の肌の汚れを確実に防ぐことができる。
【００７９】
物品２０Ｃは、防漏シート２２の自由部３５の頂部分３８が第２パネル２４の自由後域５６の脚部６５から上方へ延出しているので、第２パネル２４の上面（透液性シート５２の上面）を拡散する尿が両側域５７に向かって流動したとしても、尿の流動が頂部分３８によって阻止され、両側域５７からの尿の横漏れを防ぐことができる。物品２０Ｃは、頂部分３８の上方に位置する自由後域５６の中央部６６が頂部分３８よりも先に着用者の肌に当接するので、頂部分３８が物品２０Ｃの横方向へ倒伏することはなく、頂部分３８が尿に対する障壁としての機能を失うことがない。物品２０Ｃは、防漏シート２２の自由部３５が尿に対する障壁を形成するので、第１パネル２３の上面（透液性シート４０の上面）を拡散する尿がベースシート２１の両側部３２に向かって流動したとしても、尿の流動が自由部３５によって阻止され、両側部３２からの尿の横漏れを防ぐことができる。
【００８０】
物品２０Ｃは、第１パネル２３の内端部分７０が第２パネル２４の自由後域５６の下方に位置してポケット６９に延出しているので、尿が第２パネル２４を透過してポケット６９に漏出したとしても、ポケット６９において尿や大便を第１パネル２３のコア４２に吸収保持させることができ、ポケット６９における尿と大便との混ざり合いを防ぐことができる。物品２０Ｃは、前後胴周り域２７，２９において第１および第２パネル２３，２４が重なり合うことがなく、それらパネル２３，２４が嵩張ることがないので、着用した物品２０Ｃに対する違和感がない。
【００８１】
物品２０Ｃでは、スペーサ７６の収縮時における横寸法が第２パネル２４を形成するコア５４の両側縁６１間の横寸法Ｌ１に対して２０〜９３％の範囲にある。スペーサ７６の収縮時の横寸法は、横寸法Ｌ１に対して５０〜８０％の範囲にあることが好ましい。
【００８２】
物品２０Ｃでは、弾性部材７７を含むスペーサ７６の１００〜２５０％伸長時における横方向伸長応力が０．５〜１．５Ｎの範囲にある。スペーサ７６の伸長応力が０．５Ｎ未満では、スペーサ７６の収縮力によって自由後域５６の脚部６５をベースシート２１の横方向内方へ十分に引き寄せることができず、物品２０Ｃの厚み方向へわずかな体圧がかかっただけで自由後域５６が容易に潰れ、ポケット６９がその口を閉じてしまう場合がある。スペーサ７６の伸長応力が１．５Ｎを超過すると、スペーサ７６の収縮力によって股下域２８が横方向内方へ必要以上に縮み、ベースシート２１や第１パネル２３の固定前域４３、第２パネル２４の自由後域５６に多数の不規則なギャザーが形成され、ポケット６９の形態を保持することができないのみならず、股下域２８における第１および第２パネル２３，２４の体液吸収機能が低下し、股下域２８において尿や大便を十分に吸収することができない。物品２０Ｃは、スペーサ７６の伸長応力が前記範囲にあるので、ベースシート２１と第２パネル２４の自由後域５６との間に形成されたポケット６９の形態を確実に保持することができ、股下域２８における第１および第２パネル２３，２４の体液吸収機能が低下することはない。なお、スペーサ７６の伸長応力の測定方法は、図２のそれと同一である。
【００８３】
物品２０Ｃでは、折曲案内部８１を含む第２パネル２４の自由後域５６（コア５４を含む）の横方向の剛性値が０．５〜１．５ｍＮの範囲にあり、折曲案内部８１を除く第２パネル２４の自由後域５６（コア５４を含む）の剛性値が１．０〜２．０ｍＮの範囲にある。折曲案内部８１を含む自由後域５６の剛性値が１．５ｍＮを超過すると、自由後域５６が折曲案内部８１において折れ曲がり難く、脚部６５がベースシート２１の上方へ起立し難くなる。折曲案内部８１を除く自由後域５６の剛性値が１．０ｍＮ未満では、スペーサ７６の収縮力によって自由後域５６がベースシート２１の横方向内方へ必要以上に縮み、ポケット６９の形態を保持することができない。折曲案内部８１を除く自由後域５６の剛性値が２．０ｍＮを超過すると、第２パネル２４の柔軟性が低下し、着用者の肌に当接する第２パネル２４が着用者に不快な刺激を与える場合がある。なお、第２パネル２４の自由後域５６のそれら剛性値は、ガーレ法（ＪＩＳ Ｌ １０９６−０１−８.２０.１）に準拠して測定した。その測定方法は、図２のそれと同一である。
【００８４】
図１３，１４は、他の一例として示す着用物品２０Ｄの斜視図と、第１および第２パネル２３，２４の側から示す図１３の物品２０Ｄの部分破断平面図とであり、図１５，１６は、図１３の１５−１５線矢視断面図と、図１３の１６−１６線矢視断面図とである。図１３，１４では、横方向を矢印Ｌ、縦方向を矢印Ｍで示し、厚み方向を矢印Ｎ（図１３のみ）で示す。図１４は、物品２０Ｄを弾性部材３３，３７，７７の収縮力に抗して縦横方向へ展開させた状態で示している。
【００８５】
物品２０Ｄは、不透液性ベースシート２１と、シート２１の内側に配置されて縦方向へ延びる一対の不透液性防漏シート２２と、シート２１の内側に配置されて縦方向へ並ぶ体液吸収性第１および第２パネル２３，２４とから構成されている点において図１の物品２０Ａと同一である。この物品２０Ｄが図１のそれと異なるのは、ポケット６９に横方向へ延びるスペーサ７６が配置されている点、第１および第２パネル２３，２４に折曲案内部８１，８２が形成されている点、自由後域５６の内端部分６４における脚部６５と中央部６６との厚み寸法が内端部分６４を除く自由後域５６の残余のそれよりも大きい点であり、その他の構成は図１の物品２０Ａと同一であるので、図１の物品２０Ａと同一の符合を付してその他の構成の説明は省略する。
【００８６】
ポケット６９には、横方向へ弾性的な伸縮性を有するスペーサ７６が収縮可能に配置されている。スペーサ７６は、縦方向に所定寸法離間して横方向へ延びる複数条の伸縮性弾性部材７７が収縮可能に取り付けられた透水性シート７８から形成されている。弾性部材７７は、横方向へ所定の倍率に伸長させた状態でシート７８に固着されている。スペーサ７６は、自由後域５６の脚部６５の下端近傍に固着された固定両端部７９と、固定両端部７９の間に延びる自由中間部８０とを有する。自由後域５６の脚部６５どうしは、スペーサ７６の収縮力によってベースシート２１の横方向内方へ引き寄せられている。
【００８７】
第１パネル２３の固定前域４３には、横方向へ所定寸法離間して縦方向へ延びる一対の折曲案内部８２が形成されている。折曲案内部８２は、互いの離間寸法が固定前域４３の内端部分７０から固定後域４４の側へ向かって次第に大きくなるようにベースシート２１の横方向内方へ弧を画き、固定後域４４の側において両側域４５に達している。第１パネル２３では、両側域４５がスペーサ７６の収縮力によってベースシート２１の横方向内方へ引き寄せられ、固定前域４３が折曲案内部８２を介して折れ曲がり、固定前域４３がシート２１とともに物品２０Ｄの厚み方向下方へ向かって凸となるように弧を画いている。
【００８８】
第２パネル２４の自由後域５６における脚部６５と中央部６６との間には、横方向へ所定寸法離間して縦方向に延びる一対の折曲案内部８１が形成されている。折曲案内部８１は、互いの離間寸法が自由後域５６の内端部分６４から固定前域５５の側へ向かって次第に大きくなるようにベースシート２１の横方向内方へ弧を画き、固定前域５５の側において両側域５７に達している。第２パネル２４の自由後域５６は、折曲案内部８１を介して折れ曲がっている。
【００８９】
それら折曲案内部８１，８２におけるコア４２，５４の密度や坪量、厚み寸法は、案内部８１，８２を除くコア４２，５４のそれらよりも小さい。ゆえに、折曲案内部８１，８２における第１および第２パネル２３，２４の剛性は、案内部８１，８２を除く第１および第２パネル２３，２４のそれよりも低い。なお、折曲案内部８１，８２は、コア４２，５４を除く透液性シート４０，５２，５３および不透液性シート４１のみから形成されていてもよい。折曲案内部８２は、第１パネル２３を縦方向へ縦断していてもよい。折曲案内部８１は、自由後域５６を縦方向へ縦断していてもよい。
【００９０】
自由後域５６の脚部６５は、ベースシート２１から上方へ延び、シート２１の上方へ凸となるように弧を画いている。自由後域５６の中央部６６は、脚部６５の上方へ凸となるように弧を画いている。自由後域５６の内端部分６４では、脚部６５と中央部６６との厚み寸法が内端部分６４を除く自由後域５６の残余のそれよりも大きい。脚部６５は、その一部が折曲案内部８１近傍において防漏シート２２の自由部３５のうちの頂部分３８の側に位置する中央部分３９に固着されている。脚部６５では、透液性シート５２の外面が接着剤６７を介して防漏シート２２に固着されている。
【００９１】
自由後域５６の中央部６６は、防漏シート２２の自由部３５の下端６８からの最大高さ寸法Ｎ１が防漏シート２２の自由部３５の下端６８から頂部分３８までの最大高さ寸法Ｎ２よりも大きい（図１６参照）。内端部分６４における中央部６６は、防漏シート２２の自由部３５の頂部分３８から上方へ延出し、頂部分３８の上方に位置している。頂部分３８は、脚部６５の上方に延出している。
【００９２】
第２パネル２４の自由後域５６は、折曲案内部８１を介して折れ曲がるとともに、脚部６５がスペーサ７６によってベースシート２１の横方向内方へ引き寄せられ、さらに、防漏シート２２の自由部３５によってシート２１の上方へ持ち上げられている。ベースシート２１と第２パネル２４の自由後域５６との間には、股下域２８から後胴周り域２９に向かって開口するポケット６９が形成されている。ポケット６９は、股下域２８の略前半分に形成されている。第１パネル２３の内端部分７０は、第２パネル２４の自由後域５６の下方に位置してポケット６９に延出し、ベースシート２１とともに物品２０Ｄの厚み方向下方に凸となってポケット６９を形成している。
【００９３】
物品２０Ｄを着用する手順は、図１のそれと同一であるので、その説明は省略する。物品２０Ｄでは、その着用中に前胴周り域２７と股下域２８の前半分とに排泄された尿が第２パネル２４のコア５４に吸収保持され、股下域２８の後半分と後胴周り域２９とに排泄された大便が第１パネル２３のコア４２に吸収保持されるとともに、前胴周り域２７に向かって流動した大便がポケット６９に収容される。
【００９４】
物品２０Ｄは、ベースシート２１と第２パネル２４の自由後域５６との間に股下域２８から後胴周り域２９に向かって開口するポケット６９が形成されているので、股下域２８や後胴周り域２９に排泄された大便が前胴周り域２７に向かって流動したとしても、大便をポケット６９に収容することができる。物品２０Ｄは、尿が第２パネル２４に吸収保持され、大便が第１パネル２３に吸収保持されるとともにポケット６９に収容されるので、尿と大便とを分離することができ、尿と大便とが混ざり合うことによる着用者の肌の汚れを防ぐことができる。物品２０Ｄは、第１パネル２３の固定前域４３がベースシート２１とともに物品２０Ｄの厚み方向下方へ凸となるように弧を画いているので、図１の物品２０Ａと比較し、ポケット６９の大便収容容積が大きく、排泄された多量の大便をポケット６９に収容することができる。
【００９５】
物品２０Ｄは、第２パネル２４の自由後域５６が防漏シート２２の自由部３５によってベースシート２１の上方へ持ち上げられているので、シート２１の上方へ凸となる自由後域５６の形態が自由部３５によって保持され、シート２１の上方へ延びる脚部６５が不用意に倒伏することはなく、自由部３５を利用してポケット６９の形態を保持することができる。物品２０Ｄは、ポケット６９がその口を閉じ難く、ポケット６９に大便を確実に収容することができる。
【００９６】
物品２０Ｄは、横方向へ弾性的な伸縮性を有するスペーサ７６がポケット６９に収縮可能に配置され、スペーサ７６の収縮力によって第２パネル２４の自由後域５６の脚部６５どうしがベースシート２１の横方向内方へ引き寄せられているので、シート２１の上方へ凸となる自由後部５６の形態がスペーサ７６によって保持され、シート２１の上方へ延びる脚部６５が不用意に倒伏することはなく、スペーサ７６の収縮力を利用してポケット６９の形態を確実に保持することができる。物品２０Ｄは、その厚み方向へ着用者の体圧がかかり、第１パネル２３の固定前域４３と第２パネル２４の自由後域５６が潰れたとしても、体圧が解除されるとスペーサ７６の伸縮力によって固定前域４３が物品２０Ｄの厚み方向下方へ凸となるとともに、自由後域５６がベースシート２１の上方へ凸となるので、シート２１と自由後域５６との間に再びポケット６９が形成される。
【００９７】
物品２０Ｄは、第２パネル２４の自由後域５６の脚部６５が折曲案内部８１近傍において防漏シート２２の自由部３５に固着され、自由部３５が自由後域５６をベースシート２１の上方へ持ち上げることにともなって第２パネル２４の自由後域５６を折曲案内部８１において折り曲げるので、第２パネル２４の自由後域５６が案内部８１で確実に折れ曲がる。物品２０Ｄは、第２パネル２４の自由後域５６が折曲案内部８１を介して折れ曲がることで、自由後域５６が案内部８１の両側に位置する脚部６５と案内部８１の間に位置する中央部６６とに明確に区画され、脚部６５がベースシート２１の上方へ起立し易く、自由後域５６がシート２１の上方へ容易に凸となり、シート２１と第２パネル２４の自由後域５６との間にポケット６９を確実に形成することができる。
【００９８】
物品２０Ｄは、自由後域５６の内端部分６４における中央部６６の厚み寸法が内端部分６４を除く自由後域５６の残余のそれよりも大きく、内端部分６４における中央部６６が防漏シート２２の自由部３５の頂部分３８から上方へ延出しているので、物品２０Ｄの着用中に中央部６６が着用者の性器と肛門との間に確実に密着し、内端部分６４における中央部６６が着用者の性器と肛門とを仕切る障壁を形成する。物品２０Ｄは、中央部６６が着用者の性器と肛門との間に密着することで、尿と大便とを確実に分離することができ、尿と大便とが混ざり合うことによる着用者の肌の汚れを確実に防ぐことができる。
【００９９】
物品２０Ｄは、防漏シート２２の自由部３５の頂部分３８が第２パネル２４の自由後域５６の脚部６５から上方へ延出しているので、第２パネル２４の上面（透液性シート５２の上面）を拡散する尿が両側域５７に向かって流動したとしても、尿の流動が自由部３５の頂部分３８によって阻止され、両側域５７からの尿の横漏れを防ぐことができる。物品２０Ｄは、防漏シート２２の頂部分３８の上方に位置する自由後域５６の中央部６６が頂部分３８よりも先に着用者の肌に当接するので、頂部分３８が物品２０Ｄの横方向へ倒伏することはなく、頂部分３８が尿に対する障壁としての機能を失うことがない。物品２０Ｄは、防漏シート２２の自由部３５が尿に対する障壁を形成するので、第１パネル２３の上面（透液性シート４０の上面）を拡散する尿がベースシート２１の両側部３２に向かって流動したとしても、尿の流動が自由部３５によって阻止され、両側部３２からの尿の横漏れを防ぐことができる。
【０１００】
物品２０Ｄは、第１パネル２３の内端部分７０が第２パネル２４の自由後域５６の下方に位置してポケット６９に延出しているので、尿が第２パネル２４を透過してポケット６９に漏出したとしても、ポケット６９において尿や大便を第１パネル２３のコア４２に吸収保持させることができ、ポケット６９における尿と大便との混ざり合いを防ぐことができる。物品２０Ｄは、前後胴周り域２７，２９において第１および第２パネル２３，２４が重なり合うことがなく、それらパネル２３，２４が嵩張ることがないので、着用した物品２０Ｄに対する違和感がない。
【０１０１】
物品２０Ｄでは、スペーサ７６の収縮時における横寸法が第２パネル２４を形成するコア５２の両側縁６１間の横寸法Ｌ１に対して２０〜９３％の範囲にある。スペーサ７６の収縮時の横寸法は、横寸法Ｌ１に対して５０〜８０％の範囲にあることが好ましい。
【０１０２】
物品２０Ｄでは、弾性部材７７を含むスペーサ７６の１００〜２５０％伸長時における横方向伸長応力が０．５〜１．５Ｎの範囲にある。スペーサ７６の伸長応力が０．５Ｎ未満では、スペーサ７６の収縮力によって自由後域５６の脚部６５をベースシート２１の横方向内方へ十分に引き寄せることができず、物品２０Ｄの厚み方向へわずかな体圧がかかっただけで第２パネル２４の自由後域５６が容易に潰れ、ポケット６９がその口を閉じてしまう場合がある。スペーサ７６の伸長応力が１．５Ｎを超過すると、スペーサ７６の収縮力によって股下域２８が横方向内方へ必要以上に縮み、ベースシート２１や第１パネル２３の固定前域４３、第２パネル２４の自由後域５６に多数の不規則なギャザーが形成され、ポケット６９の形態を保持することができないのみならず、股下域２８における第１および第２パネル２３，２４の体液吸収機能が低下し、股下域２８において尿や大便を十分に吸収することができない。物品２０Ｄは、スペーサ７６の伸長応力が前記範囲にあるので、ベースシート２１と第２パネル２４の自由後域５６との間に形成されたポケット６９の形態を確実に保持することができ、股下域２８における第１および第２パネル２３，２４の体液吸収機能が低下することはない。なお、スペーサ７６の伸長応力の測定方法は、図２のそれと同一である。
【０１０３】
物品２０Ｄでは、折曲案内部８１を含む第２パネル２４の自由後域５６（コア５４を含む）の横方向の剛性値が０．５〜１．５ｍＮの範囲にあり、折曲案内部８１を除く第２パネル２４の自由後域５６（コア５４を含む）の剛性値が１．０〜２．０ｍＮの範囲にある。折曲案内部８１を含む自由後域５６の剛性値が１．５ｍＮを超過すると、自由後域５６が折曲案内部８１において折れ曲がり難く、脚部６５がベースシート２１の上方へ起立し難くなる。折曲案内部８１を除く第２パネル２４の自由後域５６の剛性値が１．０ｍＮ未満では、スペーサ７６の収縮力によって自由後域５６がベースシート２１の横方向内方へ必要以上に縮み、ポケット６９の形態を保持することができない。折曲案内部８１を除く自由後域５６の剛性値が２．０ｍＮを超過すると、第２パネル２４の柔軟性が低下し、着用者の肌に当接する第２パネル２４が着用者に不快な刺激を与える場合がある。なお、第２パネル２４の自由後域５６のそれら剛性値は、ガーレ法（ＪＩＳ Ｌ １０９６−０１−８.２０.１）に準拠して測定した。その測定方法は、図２のそれと同一である。
【０１０４】
物品２０Ｂ，２０Ｃ，２０Ｄでは、折曲案内部８１，８２における第１および第２パネル２３，２４の剛性が折曲案内部８１，８２を除く第１および第２パネル２３，２４のそれより高くてもよい。それら折曲案内部８１，８２における第１および第２パネル２３，２４の剛性を折曲案内部８１，８２を除く第１および第２パネル２３，２４のそれより高くする一例は、折曲案内部８１，８２において第１および第２パネル２３，２４を厚み方向に圧縮し、折曲案内部８１，８２におけるコア４２，５４の密度や坪量を大きくすればよい。この場合は、固定前域４３が折曲案内部８２の両側で折れ曲がり、自由後域５６が折曲案内部８１の両側で折れ曲がる。
【０１０５】
物品２０Ａ，２０Ｂ，２０Ｃ，２０Ｄでは、第２パネル２４の固定前域５５がベースシート２１の前胴周り域２７に固着されているが、固定前域５５が前胴周り域２７全体に延在するとともにベースシート２１の前端部３０のみに固着されていてもよい。この場合は、ポケット６９がベースシート２１の前胴周り域２７の略後半分と股下域２８の略前半分とに形成される。
【０１０６】
物品２０Ａ，２０Ｂ，２０Ｃ，２０Ｄは、第２パネル２４の両側域５７がベースシート２１の両側部３２に固着されているが、自由後域５６のうちの少なくとも内端部分６４に延びる両側域５７のみがベースシート２１の両側部３２に固着されていればよく、両側域５７の全体がベースシート２１に固着されていなくてもよい。物品２０Ａ，２０Ｂ，２０Ｃ，２０Ｄでは、第１パネル２３が股下域２８全体と後胴周り域２９全体とに延在していてもよい。
【０１０７】
物品２０Ａ，２０Ｂ，２０Ｃ，２０Ｄでは、それらの縦寸法を二分する横中心線で物品２０Ａ，２０Ｂ，２０Ｃ，２０Ｄを前半分と後半分とに分けるとともに、物品２０Ａ，２０Ｂ，２０Ｃ，２０Ｄの前半分の縦寸法をさらに二分する横分割線で物品２０Ａ，２０Ｂ，２０Ｃ，２０Ｄの前半分を横中心線寄りに位置する中央部分と中央部分の反対側に位置する端部分とに分けたときに、第２パネル２４の自由後域５６が物品２０Ａ，２０Ｂ，２０Ｃ，２０Ｄの中央部分の範囲に位置していればよい。
【０１０８】
透液性シート４０，５２，５３には、親水性繊維不織布、多数の開孔を有する疎水性繊維不織布、微細な多数の開孔を有するプラスチックフィルムのいずれかを使用することができる。防漏シート２２や不透液性シート４１には、疎水性繊維不織布、通気不透液性プラスチックフィルム、２枚以上の疎水性繊維不織布をラミネートした複合不織布、疎水性繊維不織布と通気不透液性プラスチックフィルムとをラミネートした複合シートのいずれかを使用することができる。ベースシート２１や防漏シート２２、不透液性シート４１には、高い耐水性を有するメルトブローン不織布の両面または片面に高い強度と良好な柔軟性とを有するスパンボンド不織布を重ね合わせた複合不織布（ＳＭ不織布、ＳＭＳ不織布、ＳＭＭＳ不織布）を使用することもできる。
【０１０９】
繊維不織布には、スパンレース、ニードルパンチ、メルトブローン、サーマルボンド、スパンボンド、ケミカルボンドの各製法により製造された不織布を使用することができる。不織布の構成繊維には、ポリエステル系、ポリアクリロニトリル系、ポリ塩化ビニル系、ポリエチレン系、ポリプロピレン系、ポリスチレン系を使用することができる。構成繊維には、芯鞘型複合繊維、並列型複合繊維、異型中空繊維、微多孔繊維、接合型複合繊維を使用することもできる。
【０１１０】
透水性シートを形成する伸縮性かつ親水性繊維不織布には、メルトブローンやスパンボンドの各製法により製造されたものを使用することができる。伸縮性繊維不織布の構成繊維には、熱可塑性エラストマー樹脂を溶融、紡糸した伸縮性繊維を使用することができる。透水性シートには、熱可塑性エラストマー樹脂繊維からなる親水性かつ伸縮性繊維不織布の少なくとも片面に、ポリプロピレン、ポリエチレン、ポリエステルのいずれかの熱可塑性合成樹脂を溶融、紡糸した捲縮繊維からなる親水性繊維不織布を重ね合わせた複合不織布を使用することもできる。
【０１１１】
コア４２，５４は、粒子状または繊維状の高吸収性ポリマーとフラッフパルプとの混合物、または、粒子状または繊維状の高吸収性ポリマーとフラッフパルプと熱可塑性合成樹脂繊維との混合物であり、所定の厚み寸法に圧縮されている。ゆえに、コア４２，５４は、その剛性がシートの剛性よりも高い。コア４２，５４は、それの型崩れを防止するため、全体がティッシュペーパーや親水性繊維不織布等の透液性シート（図示せず）に包被されている。
【０１１２】
シート２１に対するシート２２，４０，４１，５２，５３の固着、シート４０，４１，５２，５３どうしの固着、シート４０，４１，５２，５３に対するコア４２，５４の接合、シート２２，２５，２６，７８に対する弾性部材３３，３７，７７の固着には、接着剤、または、ヒートシールやソニックシール等の熱による溶着手段を利用することができる。接着剤には、ホットメルト型接着剤やアクリル系接着剤、ゴム系接着剤を使用することができる。
【０１１３】
接着剤は、ベースシート２１や防漏シート２２、透液性シート４０，５２，５３、不透液性シート４１にスパイラル状や波状、ジグザグ状、ドット状、縞状のうちのいずれかの態様で塗布されていることが好ましい。接着剤をそれらの態様でシート２１，２２，４０，４１，５２，５３に塗布すると、それらシート２１，２２，４０，４１，５２，５３に接着剤が塗布された塗布域と接着剤が塗布されていない非塗布域とが形成され、それらシート２１，２２，４０，４１，５２，５３どうしが断続的に固着され、コア４２，５４がシート４０，４１，５２，５３に断続的に接合されるとともに、弾性部材３３，３７がシート２２，２５，２６に断続的に固着される。
【図面の簡単な説明】
【０１１４】
【図１】一例として示す使い捨て着用物品の斜視図。
【図２】パネルの側から示す図１の物品の部分破断平面図。
【図３】図１の３−３線矢視断面図。
【図４】図１の４−４線矢視断面図。
【図５】他の一例として示す着用物品の斜視図。
【図６】パネルの側から示す図５の物品の部分破断平面図。
【図７】図５の７−７線矢視断面図。
【図８】図５の８−８線矢視断面図。
【図９】他の一例として示す着用物品の斜視図。
【図１０】パネルの側から示す図９の物品の部分破断平面図。
【図１１】図９の１１−１１線矢視断面図。
【図１２】図９の１２−１２線矢視断面図。
【図１３】他の一例として示す着用物品の斜視図。
【図１４】パネルの側から示す図１３の物品の部分破断平面図。
【図１５】図１３の１５−１５線矢視断面図。
【図１６】図１３の１６−１６線矢視断面図。
【符号の説明】
【０１１５】
２０Ａ    使い捨て着用物品
２０Ｂ    使い捨て着用物品
２０Ｃ    使い捨て着用物品
２０Ｄ    使い捨て着用物品
２１    ベースシート
２２    不透液性防漏シート
２３    体液吸収性第１パネル
２４    体液吸収性第２パネル
２７    前胴周り域
２８    股下域
２９    後胴周り域
３０    前端部
３１    後端部
３２    両側部
３４    固定側部
３５    自由部
３６    固定両端部
３７    伸縮性弾性部材
３８    頂部分
４０    透液性シート（透液性第１シート）
４１    不透液性シート
４２    吸液性コア（吸液性第１コア）
４３    固定前域
４４    固定後域
４５    固定両側域
５２    透液性シート（透液性第２シート）
５３    透液性シート（透液性第２シート）
５４    吸液性コア（吸液性第２コア）
５５    固定前域
５６    自由後域
５７    固定両側域（両側域）
６４    内端部分
６５    脚部
６６    中央部
６９    ポケット
７０    内端部分
７６    スペーサ
７９    固定両端部
８０    自由中間部
８１    折曲案内部
【図１】
2005296326.tif 000003
【図２】
2005296326.tif 000004
【図３】
2005296326.tif 000005
【図４】
2005296326.tif 000006
【図５】
2005296326.tif 000007
【図６】
2005296326.tif 000008
【図７】
2005296326.tif 000009
【図８】
2005296326.tif 000010
【図９】
2005296326.tif 000011
【図１０】
2005296326.tif 000012
【図１１】
2005296326.tif 000013
【図１２】
2005296326.tif 000014
【図１３】
2005296326.tif 000015
【図１４】
2005296326.tif 000016
【図１５】
2005296326.tif 000017
【図１６】
2005296326.tif 000018